(57)【要約】【課題】単純な構成で電池残量の表示を可能にした携帯電話機を提供する。【解決手段】発光色が互いに異なり、印加された電圧に対する光度の特性が互いに異なる赤色ＬＥＤ２と緑色ＬＥＤ３が、各々の発した光が互いに混合するように配置され、発光色の違いと特性の違いによって、電池１の残量が多いときの出力電圧が印加されたときと、電池１の残量が少ないときの出力電圧が印加されたときとで、赤色ＬＥＤ２と緑色ＬＥＤ３の発する光の混合された色に違いが生じる。【選択図】図２
2008193807.tif 000002
【特許請求の範囲】
【請求項１】
内部回路が電源で動作する携帯電子機器であって、
前記内部回路に電源を供給する再充電が可能な電池と、
発光色が互いに異なり、印加された電圧に対する光度の特性が互いに異なり、前記電池から供給された電源の電圧が印加される複数の発光素子が、各々の発した光が互いに混合するように配置され、前記発光色の違いと前記特性の違いによって、前記電池の残量が多いときの出力電圧が印加されたときと、前記電池の残量が少ないときの出力電圧が印加されたときとで、前記複数の発光素子の発する光の混合された色に違いが生じる残量表示部と、を有する携帯電子機器。
【請求項２】
前記携帯電子機器は、表示画面が外部に露出しない態様に折畳み可能な携帯電子機器であり、
前記残量表示部は、前記携帯電子機器を折畳んだ状態で外部に露出する背面に配置から前記複数の発光素子で発された光の色を混合させて外部へ照射する、請求項１に記載の携帯電子機器。
【請求項３】
前記携帯電子機器は、赤色の光を発する第１の発光素子と緑色の光を発する第２の発光素子を有しており、
前記残量表示部は、前記第１の発光素子と前記第２の発光素子とが発した光が互いに混合するように各々を配置している、請求項１または２に記載の携帯電子機器。
【請求項４】
前記残量表示部は、前記電池から前記複数の発光素子への電源の供給を制御するスイッチ部と前記スイッチ部の開閉を制御する制御部とを更に有しており、
前記制御部は、前記スイッチ部の開閉により、前記複数の発光素子への電源の供給を制御する、請求項１から３のいずれか１項に記載の携帯電子機器。
【請求項５】
前記制御部は、ユーザーにより所定のキー操作がなされると前記スイッチ部を閉じて前記発光素子を発光させ、所定の時間を経過すると前記スイッチ部を開いて前記発光素子の発光を停止させる、請求項４に記載の携帯電子機器。
【請求項６】
前記残量表示部は、前記発光素子に流れる電流を調整する制限抵抗を有しており、
前記制限抵抗の制限抵抗値は、前記電池の残量が多いときの出力電圧と前記電池の残量が少ないときの出力電圧との範囲で電圧が変動しても、前記複数の発光素子に所定の範囲内の電流が流れるような値とする、請求項１から５のいずれか１項に記載の携帯電子機器。
【請求項７】
前記発光素子は、発光ダイオードである、請求項１から６に記載の携帯電子機器。
【請求項８】
前記携帯電子機器は、携帯電話機である、請求項１から７に記載の携帯電子機器。
【発明の詳細な説明】
【技術分野】
【０００１】
本発明は、電池の残量を表示する携帯電子機器、特に携帯電話機における電池残量の表示に関する。
【背景技術】
【０００２】
携帯電話機には充電可能な例えばリチウムイオン電池が使用されており、その電池の残量がユーザーに通知される。ユーザーは、携帯電話機から通知された電池の残量を確認して電池の残量が少ないと判断すると、電池の充電を行う。
【０００３】
電池の残量をユーザーに通知する構成の一例として携帯電話機の画面に電池の残量を表示させる方法がある。
【０００４】
図５は電池残量を画面に表示する携帯電話機の例を示している。図５Ａは電池の残量が十分なときの携帯電話機の画面の一例である。図５Ｂは、電池の残量が半分程度のときの携帯電話機の画面の一例である。図５Ｃは電池の残量が少ないときの携帯電話機の画面の一例である。
【０００５】
図５Ａから図５Ｃを参照して携帯電話機の電池の残量が表示されている画面例を説明する。携帯電話機の画面には、電池を模した図形が表示されており、その中に矩形ブロックが複数個、例えば３個並べられている。携帯電話機を使用して電池の残量が減少すると電池の残量に応じて表示する矩形ブロックの数が減り、携帯電話機を充電して電池の残量が増加すると電池の残量に応じて表示する矩形ブロックの数が増える。
【０００６】
例えば、電池の残量が十分なときには図５Ａのように矩形ブロックは３個表示されており、電池の残量が半分程度のときには図５Ｂのように矩形ブロックは２個表示されており、電池の残量が空に近い状態のときには５Ｃのように矩形ブロックは１個表示される。
【０００７】
このような機能を有する携帯電話機は、内部にＡ／Ｄ（Ａｎａｌｏｇ／Ｄｉｇｉｔａｌ）コンバータや専用の回路を備えており、Ａ／Ｄコンバータより電池の電圧を検出したり、専用の回路により電池の電流を積算したりして、電池の残量を推定し、推定結果に応じて矩形ブロックを表示する。
【０００８】
また、電池の残量をユーザーに通知する構成の他の例として携帯電話機に２つのＬＥＤ（Ｌｉｇｈｔ  Ｅｍｉｔｔｉｎｇ  Ｄｉｏｄｅ）を備えており、電池の電圧に応じて所望の光度で２つのＬＥＤを発光させてユーザーに電池の残量を知らせる方法がある（特許文献１参照）。
【０００９】
図６は特許文献１における携帯電話機の回路構成を示す図である。特許文献１の携帯電話機は、電池１、赤色ＬＥＤ２、緑色ＬＥＤ３、制限抵抗９３，９４、ＬＥＤ電源駆動用制御回路９０、電圧ステータスレジスタ９１、および電圧検出回路９２を有している。
【００１０】
電圧検出回路９２は、電池１と接続しており、電池１の電圧を検出すると、電圧と関連付けられた電圧ステータスレジスタの値を電圧ステータスレジスタ９１に通知する。例えば、電圧検出回路９２は、３．０Ｖ以下の電圧を検出すると、３ビットで表現される「０００」を電圧ステータスレジスタ９１に通知し、また３．０Ｖから３．３Ｖの間の電圧を検出すると、「００１」を電圧ステータスレジスタ９１に通知する。
【００１１】
電圧ステータスレジスタ９１は、電圧検出回路９２から電圧ステータスレジスタの値を通知されると、通知された値を一時的に記憶する。例えば、電圧ステータスレジスタ９１は、電圧検出回路９２から「０００」の値を通知されると、その値を記憶する。
【００１２】
ＬＥＤ駆動用電源制御回路９０は、制御部（不図示）からの指示により電圧の出力（高／中／低）を制御するレギュレータ回路であり、緑色ＬＥＤ３と制限抵抗９４との直列回路９５を介して接地するとともに、赤色ＬＥＤ２と制限抵抗９３との直列回路９６を介して接地し、直列回路９５，９６への電圧の出力を制御する。
【００１３】
制御部は、電圧ステータスレジスタ９１で記憶された値を読み込み、読み込んだ値に従ってＬＥＤ駆動用電源制御回路９０にいずれかの電圧で出力（高／中／低）するように指示する。例えば、電圧ステータスレジスタ９１が「０００」を記憶している場合に、制御部は、電圧ステータスレジスタ９１で記憶した「０００」の値を読み込むと、直列回路９６へ高い電圧で出力するようＬＥＤ駆動用電源制御回路９０に指示する。電池１の電圧に応じてＬＥＤ駆動用電源制御回路９０が赤色ＬＥＤ２と緑色ＬＥＤ３に流れる込む順方向の電流を変えることができるので、赤色ＬＥＤ２と緑色ＬＥＤ３の光度を電池の電圧に応じて調節できる。
【特許文献１】特開平１１−２９９１１４号公報
【発明の開示】
【発明が解決しようとする課題】
【００１４】
しかしながら、携帯電話機の画面に電池残量を表示させる方法では、電池の電圧を検出したり電流を積算したりするために、携帯電話機の内部にＡ／Ｄコンバータや専用の回路を新たに設置しなければならなかった。また、特許文献１のような方法では、ＬＥＤへの電圧を制御するためにＬＥＤ駆動用電源制御回路９０を設置する必要があった。
【００１５】
本発明の目的は、単純な構成で電池残量の表示を可能にした携帯電話機を提供することにある。
【課題を解決するための手段】
【００１６】
上記目的を達成するために、本発明の携帯電子機器は、
内部回路が電源で動作する携帯電子機器であって、
前記内部回路に電源を供給する再充電が可能な電池と、
発光色が互いに異なり、印加された電圧に対する光度の特性が互いに異なり、前記電池から供給された電源の電圧が印加される複数の発光素子が、各々の発した光が互いに混合するように配置され、前記発光色の違いと前記特性の違いによって、前記電池の残量が多いときの出力電圧が印加されたときと、前記電池の残量が少ないときの出力電圧が印加されたときとで、前記複数の発光素子の発する光の混合された色に違いが生じる残量表示部と、を有している。
【００１７】
本発明によれば、電池の残量による出力電圧に応じて複数の発光素子の発する光の混合された色に違いが生じるので、携帯電話機の内部にＡ／Ｄコンバータや専用の回路を新たに設置したり、ＬＥＤへの電圧を制御するためのＬＥＤ駆動用電源制御回路９０を設置したりする必要がなく単純な構成でユーザーへ電池の残量を表示できる。
【００１８】
また、前記携帯電子機器は、表示画面が外部に露出しない態様に折畳み可能な携帯電子機器であり、前記残量表示部は、前記携帯電子機器を折畳んだ状態で外部に露出する背面から前記複数の発光素子で発された光の色を混合させて外部へ照射するようにしてもよい。
【００１９】
これによれば、携帯電子機器を閉じた状態でもユーザーは電池の残量を確認することができる。
【００２０】
また、前記携帯電子機器は、赤色の光を発する第１の発光素子と緑色の光を発する第２の発光素子を有しており、前記残量表示部は、前記第１の発光素子と前記第２の発光素子とが発した光が互いに混合するように各々を配置しているようにしてもよい。
【００２１】
これによれば、電池の残量が多いときには混合して黄色に発せられ、電池の残量が少ない時には混合して赤色に発せられるので、ユーザーは電池の残量が少ないことを違和感なく認識できる。
【００２２】
また、前記残量表示部は、前記電池から前記複数の発光素子への電源の供給を制御するスイッチ部と前記スイッチ部の開閉を制御する制御部とを更に有しており、前記制御部は、前記スイッチ部の開閉により、前記複数の発光素子への電源の供給を制御するようにしてもよい。
【００２３】
これによれば、不要なときに発光素子を発光させないので、電池の消費電流を抑制できる。
【００２４】
また、前記残量表示部は、前記発光素子に流れる電流を調整する制限抵抗を有しており、前記制限抵抗の制限抵抗値は、前記電池の残量が多いときの出力電圧と前記電池の残量が少ないときの出力電圧との範囲で電圧が変動しても、前記複数の発光素子に所定の範囲内の電流が流れるような値とするようにしてもよい。
【００２５】
これによれば、発光素子に過電流が流れることを防止するとともに、発光素子で発せられる光の輝度を調整できる。
【発明の効果】
【００２６】
本発明によれば、単純な構成で電池残量の表示を可能にした携帯電話機を提供できる。
【発明を実施するための最良の形態】
【００２７】
本発明を実施するための形態について図面を参照して詳細に説明する。
【００２８】
図１は本実施形態における携帯電話機の斜視図である。本携帯電話機１０は、着信表示用ＬＥＤ部１１、サイドボタン部１２、およびトップボタン部１３を有している。
【００２９】
携帯電話機１０は折畳み型の携帯電話機である。折畳み型の携帯電話機１０では、液晶ディスプレイなどの表示部（不図示）および着信表示用ＬＥＤ部１１を含む第１の筐体１５と、ボタンなどのサイドボタン部１２およびトップボタン部１３を含む第２の筐体１６とがヒンジ部１４で回転可能に連結されており、ヒンジ部１４を軸として回転させることにより、携帯電話機１０の開閉が行われる。
【００３０】
着信表示用ＬＥＤ部１１は、第１の筐体１５の背面に配置しており、ユーザーによりサイドボタン部１２が押下されると、一定時間だけ点灯する。また、着信表示用ＬＥＤ部１１は、他の携帯電話機（不図示）から着信を受けている間点灯するようにしてもよいし、携帯電話機１０の開閉が行なわれたときに点灯するようにしてもよい。これによれば、携帯電話機１０を閉じた状態でもユーザーは電池の残量を確認することができる。
【００３１】
サイドボタン部１２は、第２の筐体１６の側面に配置されており、ユーザーにより押下されると、着信表示用ＬＥＤ部１１が一定時間だけ点灯する。
【００３２】
トップボタン部１３は、第２の筐体１６の上面に配置されており、ユーザーから操作入力を受け付ける。トップボタン部１３は、例えば電話番号を入力するボタン、マナーモードに切り替えるボタン、および通話開始又は終了のボタンなどである。
【００３３】
図２は本実施形態における携帯電話機１０の電池残量を表示するための回路の構成を示す回路図である。本携帯電話機１０は、電池１、赤色ＬＥＤ２、緑色ＬＥＤ３、制限抵抗４，５、スイッチ６、および制御部７を有している。
【００３４】
電池１の＋端子は、赤色ＬＥＤ２のアノード端子、緑色ＬＥＤ３のアノード端子、および各機能ブロックと共通接続しており、電池１の−端子は接地されている。赤色ＬＥＤ２のカソード端子と制限抵抗４の一方の端子は接続しており、また緑色ＬＥＤ３のカソード端子と制限抵抗５の一方の端子は接続している。制限抵抗４の他方の端子と制限抵抗５の他方の端子は、共通接続されており、制御部７によって開閉が制御されるスイッチ６を介して接地されている。
【００３５】
赤色ＬＥＤ２と緑色ＬＥＤ３は電池１の残量に応じた光度でそれぞれ発光し、光度に応じて混ざりあった色の光が着信表示用ＬＥＤ部１１から外部へ照射される。電池１の残量が十分なとき、着信表示用ＬＥＤ部１１から発せられる光の色は例えば黄色であり、また電池１の残量が空に近い状態のとき、着信表示用ＬＥＤ部１１から発せられる光の色は例えば赤色である。従って、ユーザーは、着信表示用ＬＥＤ部１１から黄色の光が発せられていれば電池の残量が十分であると認識し、着信表示用ＬＥＤ部１１から赤色の光が発せられていれば電池の残量が空に近い状態と違和感なく認識できる。
【００３６】
電池１の残量が十分なとき電池１の電圧は４．２Ｖ付近であり、電池１の残量が空に近い状態のとき電池１の電圧は３Ｖ付近であり、電池１はその範囲内の電圧を出力電圧として携帯電話機１０の各機能ブロック、赤色ＬＥＤ２、および緑色ＬＥＤ３に電流を流す。
【００３７】
赤色ＬＥＤ２は赤色に発光するダイオードである。赤色ＬＥＤ２は電池１から電圧が印加されており、印加される電圧に応じて順方向に流れる電流が変化する。赤色ＬＥＤ２は、制御部７によりスイッチ６が閉じられると、電流に応じた光度で発光する。
【００３８】
緑色ＬＥＤ３は緑色に発光するダイオードである。緑色ＬＥＤ３は電池１から電圧が印加されており、印加される電圧に応じて順方向に流れる電流が変化する。緑色ＬＥＤ３は、制御部７によりスイッチ６が閉じられると、電流に応じた光度で発光する。
【００３９】
制御部７は、携帯電話機１０を閉じているときにサイドボタン部１２が押下されると、スイッチ６を閉じる。また、制御部７は、スイッチ６を閉じてから所定の時間を経過すると、スイッチ６を開く。制御部７がスイッチ６を閉じると、赤色ＬＥＤ２と緑色ＬＥＤ３とが電流に応じた光度で発光する。これによれば、不要なときに赤色ＬＥＤ２と緑色ＬＥＤ３とを発光させないので、電池の消費電流を抑制できる。
【００４０】
一般に、ＬＥＤを発光させるためには、ＬＥＤに印加される電圧に変化が生じたときでも所定の範囲内の電流を流す必要がある。電池１の残量が十分なとき電池１の電圧は４．２Ｖであり、電池１の残量が空に近い状態のとき電池１の電圧は３Ｖ付近まで下がるので、この範囲で電圧が変動しても、赤色ＬＥＤ２と緑色ＬＥＤ３に所定の範囲内の電流が流れるように、例えば赤色ＬＥＤ２には１００Ωの制限抵抗４を、そして緑色ＬＥＤ３には５０Ωの制限抵抗５を、接続して調整する。これによれば、発光素子に過電流が流れることを防止するとともに、発光素子で発せられる光の輝度を調整できる。
【００４１】
また、赤色ＬＥＤ２と緑色ＬＥＤ３に流れる電流は所定の電圧以上を印加すると急減に増加するという特性がある。また、赤色ＬＥＤ２の光度は赤色ＬＥＤ２に流れる電流にほぼ比例して増加し、緑色ＬＥＤ３の光度は緑色ＬＥＤ３に流れる電流にほぼ比例して増加するという、特性がある。これらの特性は赤色ＬＥＤ２と緑色ＬＥＤ３のＬＥＤ間でも異なっており、例えば２０ｍＡの電流が流れると、赤色ＬＥＤ２では１５０ｍｃｄの光度で発光するのに対して、緑色ＬＥＤ３では、３２５ｍｃｄの光度で発光する。このような赤色ＬＥＤ２と緑色ＬＥＤ３の特性の違いを利用して赤色ＬＥＤ２と緑色ＬＥＤ３を電池１に流れる電流に応じた光度でそれぞれ発光させて、混ざり合った色の光が外部へ照射される。
【００４２】
図３は本実施形態における赤色ＬＥＤ２と緑色ＬＥＤ３のＩＦ（順方向電流）−ＶＦ（電圧）特性を示す図である。図３では、電池１の電圧が４．２Ｖのときの赤色ＬＥＤ２に流れる電流と電池１の電圧が３Ｖのときの赤色ＬＥＤ２に流れる電流をそれぞれ算出して赤色ＬＥＤ２に流れる電流の範囲を決定する。図３Ａは本実施形態における赤色ＬＥＤ２のＩＦ−ＶＦ特性を示す図である。図３Ａでは、ＶＦ（Ｖ）であり、縦軸がＩＦ（ｍＡ）である。
【００４３】
赤色ＬＥＤ２のＩＦ−ＶＦ特性２２について説明する。赤色ＬＥＤ２のＩＦ−ＶＦ特性２２では、電池１から印加される電圧が所定の電圧（約１．７Ｖ）より低いとき赤色ＬＥＤ２に流れる順方向電流は少ないので、赤色ＬＥＤ２はほとんど発光しない。
【００４４】
一方、電池１から印加される電圧が所定の電圧より高いとき電圧の上昇に対して赤色ＬＥＤ２に流れる順方向電流が急増するので、赤色ＬＥＤ２の光度も上昇する。
【００４５】
制限抵抗４の抵抗値は１００Ωであるので、負荷曲線の傾きは１０（ｍＡ／Ｖ）となり、電池１の電圧が３Ｖのときの負荷曲線２０と電池１の電圧が４．２Ｖのときの負荷曲線２１がそれぞれ得られる。そして、得られた負荷曲線２０，２１と赤色ＬＥＤ２のＩＦ−ＶＦ特性２２の曲線との交点から各電圧における順方向電流を求めると、電池１の電圧が３Ｖのとき順方向の電流は１１ｍＡとなり、電池１の電圧が４．２Ｖのとき順方向電流は２３ｍＡとなる。従って、電池１の電圧が３Ｖから４．２Ｖへ変化すると、赤色ＬＥＤ２に流れる順方向の電流は１１ｍＡから２３ｍＡへ変化する。
【００４６】
図３Ｂは緑色ＬＥＤ３のＩＦ−ＶＦ特性を示す図である。図３Ｂでは、横軸がＶＦ（Ｖ）であり、縦軸がＩＦ（ｍＡ）である。
【００４７】
赤色ＬＥＤ２と特性の異なる緑色ＬＥＤ３のＩＦ−ＶＦ特性２３について説明する。緑色ＬＥＤ３のＩＦ−ＶＦ特性２３では、電池１から印加される電圧が所定の電圧（約２．
６Ｖ）より低いとき緑色ＬＥＤ３に流れる順方向電流は少ないので、緑色ＬＥＤ３はほとんど発光しない。
【００４８】
一方、電池１から印加される電圧が所定の電圧より高いときに電圧の上昇に対して緑色ＬＥＤ３に流れる順方向電流が急増するので、緑色ＬＥＤ３の光度も上昇する。
【００４９】
制限抵抗４の抵抗値は５０Ωであるので、負荷曲線の傾きは２０（ｍＡ／Ｖ）となり、電池１の電圧が３Ｖのとき負荷曲線２３と電池１の電圧が４．２Ｖのときの負荷曲線２４がそれぞれ得られる。そして、得られた負荷曲線２３，２４と緑色ＬＥＤ３のＩＦ−ＶＦ特性２５の曲線との交点から各電圧における順方向電流を求めると、電池１の電圧が３Ｖのとき順方向電流は３ｍＡとなり、電池１の電圧が４．２のとき順方向電流は１９ｍＡとなる。従って、電池１の電圧が３Ｖから４．２Ｖへ変化すると、緑色ＬＥＤ３に流れる順方向電流は３ｍＡから１９ｍＡへ変化する。
【００５０】
図４は本実施形態における赤色ＬＥＤ２と緑色ＬＥＤ３のＩＶ（光度）−ＩＦ（順方向電流）特性を示す図である。赤色ＬＥＤ２と緑色ＬＥＤ３に同じ電流が順方向に流れても、光度は赤色ＬＥＤ２と緑色ＬＥＤ３とで異なる。図４では、決定した電流の範囲の中から電圧が４．２Ｖのときの電流と電圧が３Ｖのときの電流から光度を算出して赤色ＬＥＤ２の光度の範囲を決定する。
【００５１】
図４Ａは、本実施形態における赤色ＬＥＤ２のＩＶ−ＩＦ特性を示す図である。図４Ａでは、横軸がＩＦ（ｍＡ）であり、縦軸がＩＶ（ｍｃｄ）である。
【００５２】
図３Ａで示されたＩＦ−ＶＦ特性２２より赤色ＬＥＤ２に流れる順方向電流は１１ｍＡから２３ｍＡの範囲内であるので、ＩＶ−ＩＦ特性３０により、電流が１１ｍＡのときの赤色ＬＥＤ２の光度は９５ｍｃｄとなり、電流が２３ｍＡのときの赤色ＬＥＤ２の光度は１５５ｍｃｄとなる。従って、赤色ＬＥＤ２に流れる順方向電流が１１ｍＡから２３ｍＡへ変化すると、赤色ＬＥＤ２の光度は９５ｍｃｄから１５５ｍｃｄへ変化する。
【００５３】
図４Ｂは、本実施形態における緑色ＬＥＤ３のＩＶ−ＩＦ特性を示す図である。４Ｂでは、横軸がＩＦ（ｍＡ）であり、縦軸がＩＶ（ｍｃｄ）である。
【００５４】
図３Ｂで示されたＩＦ−ＶＦ特性２５より緑色ＬＥＤ３に流れる順方向電流は３ｍＡから１９ｍＡの範囲内であるので、ＩＶ−ＩＦ特性３１により、電流が３ｍＡのときの緑色ＬＥＤ３の光度は８５ｍｃｄとなり、電流が１９ｍＡのときの緑色ＬＥＤ３の光度は３１０ｍｃｄとなる。従って、緑色ＬＥＤ３に流れる順方向電流が３ｍＡから１９ｍＡへ変化すると、緑色ＬＥＤ３の光度は８５ｍｃｄから３１０ｍｃｄへ変化する。
【００５５】
電池１の残量が十分なとき、電池１の電圧は４．２Ｖの付近であるので、赤色ＬＥＤ２の光度は１５５ｍｃｄの付近となり、緑色ＬＥＤ３の光度は３１０ｍｃｄの付近となる。赤色ＬＥＤ２は、緑色ＬＥＤ３と比較すると、光度が小さくても明るく見える特性を有しているので、電池１の残量が十分なとき、ユーザーは赤色ＬＥＤ２の発光色と緑色ＬＥＤ３の発光色が均等に混ざった黄色が着信表示用ＬＥＤ部１１から点灯しているように見える。
【００５６】
電池１の残量が空に近い状態のとき、電池１の電圧は３Ｖ付近まで下がるので、赤色ＬＥＤ２の光度は９５ｍｃｄ付近となり、緑色ＬＥＤ３の光度は８０ｍｃｄ付近となる。この場合、赤色ＬＥＤ２と緑色ＬＥＤ３の光度はほとんど同じであるが、赤色ＬＥＤ２の特性によりユーザーは着信表示用ＬＥＤ部１１から赤く点灯しているように見える。
【００５７】
以上説明したように、本実施形態によれば、発光色が互いに異なり、印加された電圧に対する光度の特性が互いに異なる赤色ＬＥＤ２と緑色ＬＥＤ３を各々の発した光が互いに混合するように配置しており、電池１の残量による出力電圧に応じて赤色ＬＥＤ２と緑色ＬＥＤ３の発する光の混合された色に違いが生じるので、携帯電話機の内部にＡ／Ｄコンバータや専用の回路を新たに設置したり、ＬＥＤへの電圧を制御するためのＬＥＤ駆動用電源制御回路９０を設置したりする必要がなく単純な構成でユーザーへ電池の残量を表示できる。
【００５８】
また、本実施形態では、ユーザーが着信表示用ＬＥＤ部１１の点灯により電池の残量を確認する例を示したが、本発明はこれに限定されるものではない。他の例として、ユーザーがトップボタン部１３の点灯により電池の残量を確認するようにしてもよい。この場合、特性の異なる赤色ＬＥＤ２と緑色ＬＥＤ３をトップボタン部１３の背面に設置しており、サイドボタン部１２が押下されると、赤色ＬＥＤ２や緑色ＬＥＤ３が電池１の電圧に応じた所望の光度で発光する。そして、赤色ＬＥＤ２や緑色ＬＥＤ３で発した光はトップボタン部１３から所望の色でユーザーに知らされる。これにより、携帯電話機１０の背面に着信表示用ＬＥＤ部１１を備えていない携帯電話機１０でも電池１の残量を視覚的に表示できる。
【００５９】
なお、所定のボタンを押下して所定の時間を経過するまでの間または携帯電話機１０が開状態で着信している間に点灯するようにしてもよい。
【００６０】
また、本実施形態では、赤色ＬＥＤ２と緑色ＬＥＤ３とが電池１と接続されており、電池１と接続された赤色ＬＥＤ２と緑色ＬＥＤ３とがそれぞれ発光し、発光した光の色により電池の残量を表示する例を示したが、本発明はこれに限定されるものではない。他の例として、更に青色ＬＥＤと電池１とが接続されており、電池１と接続された赤色ＬＥＤ２と緑色ＬＥＤ３と青色ＬＥＤとがそれぞれ発光し、発した光の色により電池の残量を表示するようにしてもよい。
【００６１】
これによれば、フルカラー表示で電池の残量を着信表示用ＬＥＤ１１から伝えることができる。
【００６２】
なお、本発明は３つ以上のＬＥＤを備える携帯電話機にも広く適用できる。
【図面の簡単な説明】
【００６３】
【図１】本実施形態における携帯電話機の斜視図である。
【図２】本実施形態における携帯電話機１０の電池残量を表示するための回路の構成を示す回路図である。
【図３Ａ】本実施形態における赤色ＬＥＤ２のＩＦ−ＶＦ特性を示す図である。
【図３Ｂ】本実施形態における緑色ＬＥＤ３のＩＦ−ＶＦ特性を示す図である。
【図４Ａ】本実施形態における赤色ＬＥＤ２のＩＶ−ＩＦ特性を示す図である。
【図４Ｂ】本実施形態における緑色ＬＥＤ３のＩＶ−ＩＦ特性を示す図である。
【図５Ａ】電池の残量が十分なときの携帯電話機の画面の一例である。
【図５Ｂ】電池の残量が半分程度のときの携帯電話機の画面の一例である。
【図５Ｃ】電池の残量が少ないときの携帯電話機の画面の一例である。
【図６】特許文献１における携帯電話機の回路構成を示す図である。
【符号の説明】
【００６４】
１    電池
２    赤色ＬＥＤ
３    緑色ＬＥＤ
４    制限抵抗（１００Ω）
５    制限抵抗（５０Ω）
６    スイッチ
７    制御部
１０  携帯電話機
１１  着信表示用ＬＥＤ部
１２  サイドボタン部
１３  トップボタン部
【図１】
2008193807.tif 000003
【図２】
2008193807.tif 000004
【図３Ａ】
2008193807.tif 000005
【図３Ｂ】
2008193807.tif 000006
【図４Ａ】
2008193807.tif 000007
【図４Ｂ】
2008193807.tif 000008
【図５Ａ】
2008193807.tif 000009
【図５Ｂ】
2008193807.tif 000010
【図５Ｃ】
2008193807.tif 000011
【図６】
2008193807.tif 000012